(57)【特許請求の範囲】
【請求項１】
前面が開口する貯蔵室を有する冷蔵庫本体と、
前記冷蔵庫本体に右辺部が回動可能に装着され、前記貯蔵室の前面を開閉する扉と、
前記扉の内面に前記扉の回動中心側である右側に位置して上下方向へ延びるように設けられ、前記扉の閉鎖状態で前記貯蔵室内に突出するものであって左側面および右側面を有すると共に左側面および右側面相互間に空間部が形成されたビードと、
前記扉の内面に上下方向に相互に間隔をおいて設けられ、左右方向へ延びる上段のポケットと中段のポケットと下段のポケットと、
前記ビードの左側面に前記上段のポケットおよび前記中段のポケット相互間に位置して設けられた上方の窓部と、
前記ビードの左側面に前記中段のポケットおよび前記下段のポケット相互間に位置して設けられた下方の窓部と、
前記ビードの右側面に設けられ、前記上方の窓部および前記下方の窓部相互間を上下方向に跨ぐ長さ寸法を有する窓部と、
前記ビードの空間部に収納され、前記上方の窓部と前記下方の窓部と前記窓部のそれぞれから光を投射する縦長な庫内灯を備えたことを特徴とする冷蔵庫。
【発明の詳細な説明】
【０００１】
【発明の属する技術分野】
本発明は、貯蔵室内を照明するための庫内灯を備えた冷蔵庫に関する。
【０００２】
【発明が解決しようとする課題】
一般に冷蔵庫には、貯蔵室の奥壁に庫内灯を設置した構成のものがある。しかしながら、この構成の場合、貯蔵室内の貯蔵品が後方から照明されるため、逆光で貯蔵品を見難くなる。尚、冷蔵庫には、貯蔵室の天井壁に奥側に位置して凹部を形成し、この凹部内に庫内灯を収納した構成のものもあるが、この構成の場合でも事情は同じである。
【０００３】
本発明は上記事情に鑑みてなされたものであり、その目的は、貯蔵品の見え具合を高めることができる冷蔵庫を提供することにある。
【０００４】
【課題を解決するための手段】
【０００６】
請求項１記載の冷蔵庫は、前面が開口する貯蔵室を有する冷蔵庫本体と、前記冷蔵庫本体に右辺部が回動可能に装着され前記貯蔵室の前面を開閉する扉と、前記扉の内面に前記扉の回動中心側である右側に位置して上下方向へ延びるように設けられ前記扉の閉鎖状態で前記貯蔵室内に突出するものであって左側面および右側面を有すると共に左側面および右側面相互間に空間部が形成されたビードと、前記扉の内面に上下方向に相互に間隔をおいて設けられ左右方向へ延びる上段のポケットと中段のポケットと下段のポケットと、前記ビードの左側面に前記上段のポケットおよび前記中段のポケット相互間に位置して設けられた上方の窓部と、前記ビードの左側面に前記中段のポケットおよび前記下段のポケット相互間に位置して設けられた下方の窓部と、前記ビードの右側面に設けられ前記上方の窓部および前記下方の窓部相互間を上下方向に跨ぐ長さ寸法を有する窓部と、前記ビードの空間部に収納され前記上方の窓部と前記下方の窓部と前記窓部のそれぞれから光を投射する縦長な庫内灯を備えたところに特徴を有している。
上記手段によれば、扉のビード内に庫内灯が収納されているので、庫内灯の影響で貯蔵室内の貯蔵スペースが削られることが防止される。しかも、ポケット側の窓部から扉の内面へ指向性を持った多量の光が投射され、ポケットと反対側の窓部から貯蔵室内へ指向性を持った多量の光が投射されるので、貯蔵室内の貯蔵品およびポケット内の貯蔵品の見え具合が一層向上する。さらに、ポケット側の窓部がポケット相互間に配置されているので、各段のポケット内の貯蔵品が効率的に照明される。
【００１６】
【発明の実施の形態】
以下、本発明の第１実施例を図１ないし図４に基づいて説明する。まず、図４において、冷蔵庫本体１は、前面が開口する矩形箱状をなすものであり、図１に示すように、鉄板製の外箱２とプラスチック製の内箱３とを組合わせ、外箱２と内箱３との空間部に発泡性断熱材４を充填することから構成されている。
【００１７】
冷蔵庫本体１内には、図４に示すように、貯蔵室に相当する冷蔵室５，冷凍室６，野菜室７が形成されている。これら各室５〜７は、冷蔵庫本体１内に断熱プレート８，９を配設することに伴い区画されたものであり、冷凍室６内には、Ｌ字状の断熱プレート１０が配設され、冷凍室６内の右側部には仕様切替室１１が区画形成されている。尚、符号１２は、断熱プレート８，９，１０の前面に取付けられた横板を示している。また、符号１３は、冷蔵室５内にセットされた棚板を示している。
【００１８】
冷蔵庫本体１の右側部には、図２に示すように、冷蔵室５の上下端部に位置して一対のヒンジ金具１４が固定されており（上端部のヒンジ金具１４のみ図示する）、これら各ヒンジ金具１４には、扉１５の回転軸（図示せず）が回動可能に装着されている。
【００１９】
この扉１５は、図１に示すように、鉄板製の外板１５ａとプラスチック製の内板１５ｂとの間に発泡性断熱材１５ｃを充填することから構成されたものであり、内板１５ｂには、図２に示すように、後方へ突出する矩形枠状のビード１５ｄが一体形成され、このビード１５ｄには、貯蔵品が収納されるポケット１５ｅが上下方向に複数段に設けられている。また、内板１５ｂには、図１に示すように、ビード１５ｄを囲む矩形枠状のガスケット１５ｆが装着されており、扉１５を図２の矢印Ａ方向へ回動操作すると、ガスケット１５ｆが冷蔵室５の前端面に圧接し、冷蔵室５の前面が扉１５により気密状態に閉塞される。
【００２０】
冷蔵庫本体１には、図２に示すように、冷凍室６の前方左上部に位置して扉６Ａが装着され、仕様切替室１１の前方に位置して扉１１Ａが装着されている。また、冷蔵庫本体１には、図４に示すように、冷凍室６の前方下部に位置して扉６Ｂが装着され、野菜室７の前方に位置して扉７Ａが装着されている。
【００２１】
これら扉６Ａ，６Ｂ，７Ａ，１１Ａは、冷凍室６，野菜室７，仕様切替室１１内のガイドレール（図示せず）に扉６Ａ，６Ｂ，７Ａ，１１Ａのスライドレール（図示せず）を係合することに伴い、スライド可能にされたものであり、冷凍室６の前面開口部は、扉６Ａおよび６Ｂスライドに伴い開閉される。また、野菜室７，仕様切替室１１の前面開口部は、扉７Ａ，１１Ａのスライドに伴い開閉される。
【００２２】
尚、扉６Ａ，６Ｂ，７Ａ，１１Ａのスライドレールには、貯蔵品を収納するための容器６ａ，６ｂ，７ａ，１１ａが係合されており、これら容器６ａ，６ｂ，７ａ，１１ａは、扉６Ａ，６Ｂ，７Ａ，１１Ａと一体的にスライドする。
【００２３】
内箱３の前端部には、図１に示すように、開口凹部３ａが形成されている。この開口凹部３ａは、冷蔵室５の右壁の上部に位置するものであり、開口凹部３ａ内にはランプ容器２１が装着されている。このランプ容器２１は、合成樹脂により形成されたものであり、一面が開口する凹状をなしている。尚、符号２１ａは、ランプ容器２１の凹部を示している。
【００２４】
開口凹部３ａの周縁部にはシェード２２が着脱可能に嵌め込まれており、ランプ容器２１の凹部２１ａは、シェード２２により冷蔵室５側から覆われている。このシェード２２は、透明な合成樹脂をレンズ状に形成してなるものであり、冷蔵室５内に若干量突出している。
【００２５】
ランプ容器２１内には、図３に示すように、ソケット２３が配設されており、このソケット２３には庫内灯２４が装着されている。この庫内灯２４は、白色の電球からなるものであり、扉１５を図１の反矢印Ａ方向へ回動操作し、冷蔵室５の前面を開放すると、ソケット２３から庫内灯２４に電源が供給される。すると、庫内灯２４からの光がシェード２２を通して冷蔵室５側へ投射され、冷蔵室５内の棚板１３上の貯蔵品が前方から照明される。これと共に、庫内灯２４からの光がシェード２２を通して扉１５の内面側へ投射され、各ポケット１５ｅ内に収納された貯蔵品が照明される。尚、図３の数値は、ソケット２３および庫内灯２４の寸法を示している。
【００２６】
上記実施例によれば、庫内灯２４を凹部２１ａ内に収納したので、庫内灯２４の影響で冷蔵室５内の貯蔵スペースが削られることが防止される。しかも、凹部２１ａを冷蔵室５の前端上部に配置した。このため、凹部２１ａ内の庫内灯２４から冷蔵室５内に光が投射され、冷蔵室５内の貯蔵品が前方上部から照明されるので、貯蔵品の見え具合が向上する。これと共に、扉１５の閉塞時に凹部２１ａが扉１５のビード１５ｄと重なり、断熱材が厚肉になるので、凹部２１ａの影響で断熱性能が損われることが防止される。
【００２７】
また、凹部２１ａを冷蔵室５の右壁（扉１５の回動中心側）に配置した。このため、扉１５が開放されると、凹部２１ａ内の庫内灯２４から扉１５の内面へ向かって光が投射されるので、ポケット１５ｅ内の貯蔵品および冷蔵室５内の貯蔵品が同時に照明される。
【００２８】
次に本発明の第２実施例を図５に基づいて説明する。尚、上記第１実施例と同一の部材については同一の符号を付して説明を省略し、以下、異なる部材についてのみ説明を行う。内箱３の前端部には開口凹部３ａが形成されている。この開口凹部３ａは、冷蔵室５の左壁の上部に位置するものであり、開口凹部３ａ内にはランプ容器２１が装着されている。
【００２９】
開口凹部３ａの周縁部にはシェード２２が着脱可能に嵌め込まれており、ランプ容器２１の凹部２１ａは、シェード２２により覆われている。そして、ランプ容器２１内にはソケット２３が配設され、ソケット２３には庫内灯２４が装着されており、扉１５を矢印Ａ方向へ開放操作すると、ソケット２３から庫内灯２４に電源が供給される。すると、庫内灯２４からの光がシェード２２を通して冷蔵室５側へ投射され、冷蔵室５内の貯蔵品が前方から照明される。これと共に、庫内灯２４からの光がシェード２２を通して扉１５の内面側へ投射され、各ポケット１５ｅ内の貯蔵品が照明される。
【００３０】
上記実施例によれば、凹部２１ａを冷蔵室５の左壁（扉１５の反回動中心側）に配置し、凹部２１ａ内に庫内灯２４を収納した。このため、庫内灯２４から扉１５の各ポケット１５ｅに至る距離が長くなるものの、ポケット１５ｅが使用者の目線に沿って前方から照明されるようになる。
【００３１】
次に本発明の第３実施例を図６ないし図１０に基づいて説明する。尚、上記第１実施例と同一の部材については同一の符号を付して説明を省略し、以下、異なる部材についてのみ説明を行う。まず、図６において、内箱３の天井板には開口凹部３ａが形成されている。この開口凹部３ａは、冷蔵室５の前端右側部に位置するものであり、開口凹部３ａ内にはランプ容器２１が装着されている。
【００３２】
開口凹部３ａの周縁部には、シェード２２が着脱可能に嵌め込まれている。このシェード２２は、冷蔵室５内に若干量突出するものであり、ランプ容器２１の凹部２１ａは、シェード２２により覆われている。また、ランプ容器２１内にはソケット２３が配設されている。このソケット２３には庫内灯２４が装着されており、図７に示すように、扉１５が矢印Ａ方向へ開放されると、庫内灯２４に電源が与えられる。すると、庫内灯２４からの光がシェード２２を通して冷蔵室５内へ投射され、冷蔵室５内の貯蔵品が前方から照明される。これと共に、庫内灯２４からの光がシェード２２を通して扉１５の内面側へ投射され、各ポケット１５ｅ内の貯蔵品が照明される。
【００３３】
ビード１５ｄの回動中心側の一辺部には、図８に示すように、複数のポケット１５ｅ側の面部に位置して２個のシェード２５が装着されている。これら各シェード２５は、透明な合成樹脂をレンズ状に形成してなるものであり、図６に示すように、ポケット１５ｅ相互間に配置されている。尚、図８は、扉１５を冷蔵庫本体１から除去して示す後面図であり、ビード１５ｄの回動中心側の一辺部は、扉１５の装着状態での右辺部に相当する。
【００３４】
ビード１５ｄの右辺部には、図８に示すように、複数のポケット１５ｅと反対側の面部に位置して１個のシェード２６が装着されている。このシェード２６は、透明な合成樹脂をレンズ状に形成してなるものであり、図１０に示すように、２個のシェード２５を跨ぐ長さ寸法に設定されている。尚、各シェード２５，２６は窓部に相当するものである。
【００３５】
ビード１５ｄの右辺部内には、図９に示すように、縦長なベース板２７が配設されている。このベース板２７は、合成樹脂により形成されたものであり、ベース板２７の上下端部には取付金具２８が固定されている（上端部の取付金具２８のみ図示する）。
【００３６】
これら各取付金具２８は、熱伝導率が高いアルミニウム等により形成されたものであり、二股状の取付部２８ａと、取付部２８ａから横方向へ延びる熱伝導部２８ｂと、熱伝導部２８ｂに繋がる湾曲状の加熱部２８ｃとから構成されている。尚、符号１５ｇは、ガスケット１５ｆが挿着される挿着凹部を示しており、各取付金具２８の加熱部２８ｃは、挿着凹部１５ｇに沿って湾曲している。
【００３７】
両取付金具２８の取付部２８ａには庫内灯２９が取付けられている。この庫内灯２９は蛍光灯からなるものであり、扉１５の開放に伴い庫内灯２９に電源が供給されると、ポケット１５ｅ側に位置する各シェード２５から扉１５の内面へ向かって光が投射され、ポケット１５ｅ内の貯蔵品が照明される。これと共に、ポケット１５ｅと反対側に位置するシェード２６から冷蔵室５内へ向かって光が投射され、冷蔵室５内の貯蔵品が前方から照明される。尚、庫内灯２９は、直径寸法６ｍｍ程度のものが選定されている。
【００３８】
上記実施例によれば、冷蔵室５の天井壁に凹部２１ａを設けた。このため、扉１５の閉塞時に凹部２１ａが扉１５のビード１５ｄと重なり、断熱材が厚肉になるので、凹部２１ａの影響で断熱性能が損われることが防止される。しかも、庫内灯２４を天井壁の凹部２１ａ内に収納したので、冷蔵室５内の貯蔵スペースが削られることが防止される。さらに、凹部２１ａを天井壁の前端上部に配置した。このため、冷蔵室５内の貯蔵品が前方上部から照明されるので、貯蔵品の見え具合が向上する。
【００３９】
また、凹部２１ａを天井壁の右側（扉１５の回動中心側）に配置した。このため、扉１５が開放されると、天井壁の庫内灯２４から扉１５の内面へ向かって光が投射されるので、ポケット１５ｅ内の貯蔵品および冷蔵室５内の貯蔵品が同時に照明される。
【００４０】
また、扉１５のビード１５ｄ内に庫内灯２９を収納したので、庫内灯２９の影響で冷蔵室５内の貯蔵スペースが削られることが防止される。これと共に、冷蔵室５内の断熱材に影響を及ぼさないので、断熱性能が損われることが防止される。しかも、扉１５を開放すると、ビード１５ｄ内の庫内灯２９から長尺なシェード２６を通して冷蔵室５内に光が投射され、冷蔵室５内の貯蔵品が前方から照明されるので、貯蔵品の見え具合が向上する。
【００４１】
また、ビード１５ｄのうち扉１５の回動中心側に位置する一辺部に庫内灯２９を収納した。このため、扉１５を開放すると、庫内灯２９から長尺なシェード２６を通して冷蔵室５側およびポケット１５ｅ側の双方に光が投射されるので、冷蔵室５内の貯蔵品およびポケット１５ｅ内の貯蔵品の双方が照明される。
【００４２】
また、ビード１５ｄの一辺部のうちポケット１５ｅ側の面部にシェード２５を設け、ポケット１５ｅと反対側の面部にシェード２６を設けた。このため、シェード２５からポケット１５ｅ側，シェード２６から冷蔵室５側へ指向性を持った多量の光が投射されるので、冷蔵室５内の貯蔵品およびポケット１５ｅ内の貯蔵品の見え具合が一層向上する。しかも、ポケット１５ｅ側のシェード２５をポケット１５ｅ相互間に配置したので、各段のポケット１５ｅ内の貯蔵品が効率的に照明される。
【００４３】
また、ビード１５ｄの一辺部内に取付金具２８を収納した。このため、庫内灯２９から取付金具２８を通して扉１５の内板１５ｂに熱が伝達されるので、内板１５ｂおよびガスケット１５ｆに露が付着することが防止される。しかも、取付金具２８の加熱部２８ｃを内板１５ｂの挿着凹部１５ｇに沿って設けたので、形状的に露が溜まり易い挿着凹部１５ｇ内に露が付着することが防止される。
【００４４】
尚、上記第３実施例においては、冷蔵室５の天井壁の前端右側部に凹部２１ａを設け、この凹部２１ａ内に庫内灯２４を収納したが、これに限定されるものではなく、例えば、天井壁の前端中央部に凹部２１ａを設け、この凹部２１ａ内に庫内灯２４を収納したり、天井壁の前端左側部に凹部２１ａを設け、この凹部２１ａ内に庫内灯２４を収納しても良い。
【００４５】
また、上記第１ないし第３実施例においては、庫内灯２４が装着される貯蔵室として冷蔵室５を例示したが、これに限定されるものではなく、例えば冷凍室６，野菜室７，仕様切替室１１であっても良い。
【００４６】
次に本発明の第４実施例を図１１に基づいて説明する。尚、上記第１実施例と同一の部材については同一の符号を付して説明を省略し、以下、異なる部材についてのみ説明を行う。冷蔵庫本体１の左右両側部には、冷蔵室５の上下端部に位置して一対のヒンジ金具（図示せず）が取付けられており、左側に位置する各ヒンジ金具には扉３０の軸（図示せず）が回動可能に装着され、右側に位置する各ヒンジ金具には扉３０の軸（図示せず）が回動可能に装着されている。
【００４７】
これら各扉３０は、鉄板製の外板３０ａとプラスチック製の内板３０ｂとの間に発泡性断熱材３０ｃを充填することから構成されたものであり、各内板３０ｂには、後方へ突出する矩形枠状のビード３０ｄが一体形成され、これら各ビード３０ｄにはポケット３０ｅが上下方向に複数段に設けられている。また、各内板３０ｂには、ビード３０ｄを囲む矩形枠状のガスケット３０ｆが装着されており、両扉３０を冷蔵室５側（矢印Ｂ方向）へ回動操作すると、両ガスケット３０ｆが冷蔵室５の前端面に圧接し、冷蔵室５の前面が両扉３０により密閉状態に閉塞される。
【００４８】
右側の扉３０には、ビード３０ｄの右辺部に位置して２個のシェード２５が装着されている（１個のみ図示する）。これら各シェード２５は、ビード１５ｄの右辺部のうち複数のポケット３０ｅ側の面部に配置されたものであり、ポケット３０ｅ相互間に配置されている。また、右側の扉３０には、ビード３０ｄの右辺部に位置して１個のシェード２６が装着されている。このシェード２６は、ビード１５ｄの右辺部のうち複数のポケット３０ｅと反対側の面部に配置されたものであり、シェード２６の上下方向の長さ寸法は、反対側に位置する２個のシェード２５を跨ぐ値に設定されている。
【００４９】
左側の扉３０には、ビード３０ｄの左辺部に位置して２個のシェード２５が装着されている（１個のみ図示する）。これら各シェード２５は、ビード１５ｄの左辺部のうち複数のポケット３０ｅ側の面部に配置されたものであり、ポケット３０ｅ相互間に配置されている。また、左側の扉３０には、ビード３０ｄの左辺部に位置して１個のシェード２６が装着されている。このシェード２６は、ビード１５ｄの左辺部のうち複数のポケット３０ｅと反対側の面部に配置されたものであり、シェード２６の上下方向の長さ寸法は、反対側に位置する複数のシェード２５を跨ぐ長さ値に設定されている。
【００５０】
右側の扉３０には、ビード３０ｄの右辺部内に位置してベース板２７が配設され、左側の扉３０には、ビード３０ｄの左辺部内に位置してベース板２７が配設されており、各ベース板２７の上下端部には取付金具２８が固定されている（上端部の取付金具２８のみ図示する）。
【００５１】
各組の取付金具２８には庫内灯２９が取付けられており、各扉３０の開放に伴い庫内灯２９に電源が供給されると、ポケット３０ｅ側に位置する各シェード２５から扉３０の内面へ向かって光が投射され、ポケット３０ｅ内の貯蔵品が照明される。これと共に、ポケット３０ｅと反対側に位置する各シェード２６から冷蔵室５内へ光が投射され、冷蔵室５内の貯蔵品が前方から照明される。
【００５２】
上記実施例によれば、各ビード３０ｄ内に庫内灯２９を収納したので、庫内灯２９の影響で冷蔵室５内の貯蔵スペースが削られることが防止される上、冷蔵室５内の断熱性能が損われることが防止される。しかも、各扉３０を開放すると、各庫内灯２９から長尺なシェード２６を通して冷蔵室５内に前方から光が投射されるので、貯蔵品の見え具合が向上する。
【００５３】
また、各ビード３０ｄのうち扉３０の回動中心側に位置する一辺部に庫内灯２９を収納した。このため、各扉３０を開放すると、各庫内灯２９から長尺なシェード２６を通して冷蔵室５側およびポケット３０ｅ側の双方に光が投射されるので、冷蔵室５内の貯蔵品およびポケット３０ｅ内の貯蔵品の双方が照明される。
【００５４】
また、各ビード３０ｄの一辺部のうちポケット３０ｅ側の面部にシェード２５を設け、ポケット３０ｅと反対側の面部にシェード２６を設けた。このため、シェード２５からポケット３０ｅ側，シェード２６から冷蔵室５側へ指向性を持った多量の光が投射されるので、冷蔵室５内の貯蔵品およびポケット３０ｅ内の貯蔵品の見え具合が一層向上する。しかも、ポケット３０ｅ側のシェード２５をポケット３０ｅ相互間に配置したので、各段のポケット３０ｅ内の貯蔵品が効率的に照明される。
【００５５】
また、ビード３０ｄの一辺部内に取付金具２８を収納した。このため、庫内灯２９から取付金具２８を通して扉３０の内板３０ｂに熱が伝達されるので、内板３０ｂおよびガスケット３０ｆに露が付着することが防止される。
【００５６】
尚、上記第３および第４実施例においては、ビード１５ｄおよび３０ｄの一辺部にヒータを収納しても良い。この構成の場合、低温に弱い蛍光灯からなる庫内灯２９がヒータにより加熱されるので、庫内灯２９の照度低下および寿命低下が抑えられる。
【００５７】
また、上記第３および第４実施例においては、ビード１５ｄおよび３０ｄの一辺部にシェード２５，２６を装着したが、これに限定されるものではなく、例えばビード１５ｄおよび３０ｄの一辺部のうち頂上部にシェードを設けても良い。
【００５８】
また、上記第３および第４実施例においては、ビード１５ｄおよび３０ｄのうち回動中心側の一辺部に庫内灯２９を収納したが、これに限定されるものではなく、例えば、回動中心と反対側の一辺部に庫内灯２９を収納しても良い。この場合、ビード１５ｄおよび３０ｄの一辺部のうちポケット１５ｅ側の面部にシェードを装着したり、ビード１５ｄおよび３０ｄの一辺部のうち頂上部にシェードを装着すると良い。
【００５９】
また、上記第３および第４実施例においては、庫内灯２９が装着される扉として、冷蔵室５の扉１５および３０を例示したが、これに限定されるものではなく、例えば冷凍室６の扉６Ａおよび６Ｂ，野菜室７の扉７Ａ，仕様切替室１１の扉１１Ａであっても良い。特に、冷凍室６の扉６Ａおよび６Ｂに庫内灯２９を装着するにあたっては、庫内灯２９が低温化され易いため、ビード内にヒータを収納し、庫内灯２９をヒータにより加熱すると、庫内灯２９の照度低下および寿命低下が効果的に抑えられる。
【００６０】
【発明の効果】
以上の説明から明らかなように、本発明の冷蔵庫は次の効果を奏する。
【００６１】
請求項１記載の手段によれば、扉の回動中心側に位置するビード内に庫内灯を収納したので、庫内灯の影響で貯蔵室内の貯蔵スペースが削られることが防止される上、貯蔵室の断熱性能が損われることが防止される。しかも、窓部をビードのうちポケット側の面部およびポケットと反対側の面部に設けたので、貯蔵室内の貯蔵品およびポケット内の貯蔵品の見え具合が一層向上する。さらに、ポケット側の窓部をポケット相互間に配置したので、各段のポケット内の貯蔵品が効率的に照明される。
【図面の簡単な説明】
【図１】本発明の第１実施例を示す図（冷蔵室を示す横断上面図）
【図２】冷蔵室を扉の開放状態で正面側から示す斜視図
【図３】庫内灯を示す図
【図４】ａは全体構成を扉の除去状態で示す正面図、ｂは全体構成を示す縦断側面図
【図５】本発明の第２実施例を示す図１相当図
【図６】本発明の第３実施例を示す（冷蔵室を示す縦断側面図）
【図７】図２相当図
【図８】扉のビード部分を後面側から示す斜視図
【図９】扉のビード部分を示す横断上面図
【図１０】扉の内面を示す後面図
【図１１】本発明の第４実施例を示す図１相当図
【符号の説明】
１は冷蔵庫本体、５は冷蔵室（貯蔵室）、１５は扉、１５ｄはビード、１５ｅはポケット、２１ａは凹部、２４は庫内灯、２５はシェード（窓部）、２６はシェード（窓部）、２９は庫内灯、３０は扉、３０ｄはビード、３０ｅはポケットを示す。
【図１】
0004082764.tif 000002
【図２】
0004082764.tif 000003
【図３】
0004082764.tif 000004
【図４】
0004082764.tif 000005
【図５】
0004082764.tif 000006
【図６】
0004082764.tif 000007
【図７】
0004082764.tif 000008
【図８】
0004082764.tif 000009
【図９】
0004082764.tif 000010
【図１０】
0004082764.tif 000011
【図１１】
0004082764.tif 000012